(57)【要約】【課題】洗顔を簡単に行うことができる洗顔具を提供すること。【解決手段】通液性を有する布体で洗顔部２が形成され、その洗顔部２に重ねて泡立て部３が配置される。泡立て部３はネット状の布体で形成され、覆い部４が泡立て部３に重ねて配置される。洗顔具１は、覆い部４、洗顔部２及び泡立て部３の縁部が接合部６で互いに接合され、覆い部４と泡立て部３との間に開口部を有する袋状に形成される。泡立て部３で洗顔料を泡立てた後、泡立て部３側へ指の腹を向けた状態で泡立て部３と覆い部４との間に手の指を入れて、泡を洗顔部２の表面に絞り出しながら洗顔できる。従来のように裏面部から表面部へ泡を移し替える必要がないので、洗顔を簡単に行うことができる。【選択図】図１
0003191822.tif 000002
【実用新案登録請求の範囲】
【請求項１】
通液性を有する布体で形成される洗顔部と、
その洗顔部に重ねて配置されると共にネット状の布体で形成される泡立て部と、
その泡立て部に重ねて配置される覆い部と、
その覆い部の縁部の一部と前記泡立て部との間に形成される開口部と、
その開口部の一部である前記覆い部の縁部の一部を除く縁部の残部と、前記洗顔部および前記泡立て部の各縁部とが互いに接合される接合部とを備えていることを特徴とする洗顔具。
【請求項２】
前記泡立て部の一部に重ねて配置される堰部を備え、
その堰部は、前記覆い部の縁部の残部が接合される前記接合部の一部を除いた領域に、少なくとも縁部の一部が接合されることを特徴とする請求項１記載の洗顔具。
【請求項３】
前記堰部は、前記縁部の残部が、前記泡立て部と前記覆い部との間に重ねて配置されることを特徴とする請求項２記載の洗顔具。
【請求項４】
前記接合部は、前記洗顔部、前記泡立て部および前記覆い部の裁ち目が、前記泡立て部と前記覆い部との間に挟まれるように設けられており、前記覆い部を裏返すと露呈する孔状または突状の留め部が設けられていることを特徴とする請求項１から３のいずれかに記載の洗顔具。
【請求項５】
前記留め部は、前記堰部が接合される前記接合部に設けられていることを特徴とする請求項２から４のいずれかに記載の洗顔具。
【請求項６】
前記泡立て部は、複数の布体を重ねて構成されており、
その複数の布体は、前記接合部に全周が接合される第１布体と、
対向する２辺が前記接合部に接合される一方で、その２辺に隣接する辺が前記接合部に接合されずに配置される第２布体とを備えていることを特徴とする請求項１から５のいずれかに記載の洗顔具。
【請求項７】
前記泡立て部は、複数の布体を重ねて構成されており、
その複数の布体は、前記覆い部に対面する対面布体が、前記泡立て部を構成する他の布体と比較して引張強度および伸縮性が大きいことを特徴とする請求項１から６のいずれかに記載の洗顔具。
【考案の詳細な説明】
【技術分野】
【０００１】
本考案は洗顔具に関し、特に洗顔を簡単に行うことができる洗顔具に関するものである。
【背景技術】
【０００２】
石けんや洗顔フォーム等の洗顔料を泡立てて洗顔を行うための洗顔用タオル（洗顔具）が知られている（特許文献１）。特許文献１に開示される洗顔具は、皮膚に当てる表面部とネット状の裏面部とが、手の指が入る開放部を残して袋状に縫着されている。裏面部で洗顔料を泡立て、裏面部に付着した泡を表面部に移し替えながら、表面部が指の腹側となるように洗顔具を手にはめて、表面部と皮膚との間で泡を転がすようにして洗顔を行う。
【先行技術文献】
【特許文献】
【０００３】
【特許文献１】実用新案登録第３１２８６１０号公報
【考案の概要】
【考案が解決しようとする課題】
【０００４】
しかしながら上述した従来の技術では、洗顔料を泡立てる裏面部と、洗顔を行う表面部とが異なる面（裏表）にあるので、裏面部に付着した泡を表面部に移し替えて洗顔を行うことが煩雑であった。
【０００５】
本考案は上述した問題を解決するためになされたものであり、洗顔を簡単に行うことができる洗顔具を提供することを目的としている。
【課題を解決するための手段および考案の効果】
【０００６】
この目的を達成するために請求項１記載の洗顔具によれば、通液性を有する布体で洗顔部が形成され、その洗顔部に重ねて泡立て部が配置される。泡立て部はネット状の布体で形成され、泡立て部に覆い部が重ねて配置される。覆い部の縁部の一部と泡立て部との間に開口部が形成され、開口部の一部である覆い部の縁部の一部を除く縁部の残部と、洗顔部および泡立て部の各縁部とが接合部で互いに接合される。ネット状の泡立て部で洗顔料を泡立てた後、泡立て部側へ指の腹を向けた状態で泡立て部と覆い部との間に開口部から手の指を入れると、指の腹側に泡立て部、洗顔部が順に重ねられる。泡立て部で作られた泡を泡立て部と覆い部との間に溜めることができると共に、泡を、泡立て部と洗顔部とを通過させて洗顔部の表面に絞り出すことができる。従来のように裏面部から表面部へ泡を移し替える必要がないので、洗顔を簡単に行うことができる効果がある。
【０００７】
請求項２記載の洗顔具によれば、堰部が、泡立て部の一部に重ねて配置され、堰部は、覆い部の縁部の残部が接合される接合部の一部を除いた領域に、少なくとも縁部の一部が接合される。堰部によって、泡立て部と覆い部との間の泡を開口部から漏れ出にくくできるので、泡立て部と洗顔部とを通過して洗顔部の表面に現れる泡の量を確保できる。その結果、請求項１の効果に加え、開口部から泡が漏れることで洗顔部の泡の量が少なくなって、洗顔部で肌が摩擦され易くなることを防止できる効果がある。
【０００８】
請求項３記載の洗顔具によれば、堰部は、縁部の残部が、泡立て部と覆い部との間に重ねて配置されるので、泡立て部と覆い部との間の泡を、覆い部と堰部との間から漏れ出にくくできる。その結果、請求項２の効果に加え、泡立て部と洗顔部とを通過して洗顔部の表面に現れる泡の量をより確保できる効果がある。
【０００９】
請求項４記載の洗顔具によれば、接合部は、洗顔部、泡立て部および覆い部の裁ち目が、泡立て部と覆い部との間に挟まれるように設けられている。そのため、裁ち目が表面に露出することを防ぎ、請求項１から３のいずれかの効果に加え、美観を良くできる効果がある。
【００１０】
また、接合部が泡立て部と覆い部との間に設けられるので、洗顔部を皮膚に当てて洗顔するときに、接合部が皮膚に当たって皮膚の刺激になることを防止できる効果がある。
【００１１】
また、接合部は、覆い部を裏返すと露呈する孔状または突状の留め部が設けられているので、洗顔具の使用後、洗顔具を洗浄して乾燥させるときには、覆い部を裏返した状態にして接合部を露呈させ、留め部を使って吊るし干しができる。接合部は、洗顔部、泡立て部および覆い部が重なっているため乾きにくいが、裏返し状態にして接合部を露呈させて吊るし干しができるので、請求項１から３のいずれかの効果に加え、接合部を乾き易くできる効果がある。
【００１２】
請求項５記載の洗顔具によれば、留め部は、堰部が接合される接合部に設けられている。そのため、請求項２から４のいずれかの効果に加え、泡立て部と覆い部との間に開口部から手の指を入れたときに、指先に留め部が当たって違和感が生じることを防止できる効果がある。
【００１３】
請求項６記載の洗顔具によれば、泡立て部は、複数の布体を重ねて構成されており、その複数の布体は、第１布体と第２布体とを備えている。第１布体は接合部に全周が接合され、第２布体は、対向する２辺が接合部に接合される一方で、その２辺に隣接する辺が接合部に接合されずに配置される。泡立て部で洗顔料を泡立てるときには、第１布体と第２布体とを擦り合せるのであるが、第２布体は接合部に接合されない辺を有するので、第１布体と比較して第２布体を運動（移動）させ易くできる。その結果、請求項１から５のいずれかの効果に加え、第２布体によって泡立ち性を向上できる効果がある。
【００１４】
請求項７記載の洗顔具によれば、泡立て部は、複数の布体を重ねて構成されており、その複数の布体は、覆い部に対面する布体が、泡立て部を構成する他の布体と比較して引張強度および伸縮性が大きい。ここで、泡立て部を擦り合せて泡立てるときには、覆い部に対面する布体に最も大きい力が加わるので、覆い部に対面する布体が破損し易い。これを防ぐため、覆い部に対面する布体の引張強度および伸縮性を、泡立て部を構成する他の布体と比較して大きくする。その結果、覆い部に対面する布体を破損し難くできる。よって、請求項１から６のいずれかの効果に加え、泡立て部の耐久性を向上できる効果がある。
【図面の簡単な説明】
【００１５】
【図１】（ａ）は本考案の第１実施の形態における洗顔具の底面図であり、（ｂ）は洗顔具の平面図であり、（ｃ）は図１（ｂ）のＩｃ−Ｉｃ線における洗顔具の断面端面図である。
【図２】（ａ）は裏返した状態の洗顔具の底面図であり、（ｂ）は裏返した状態の洗顔具の平面図であり、（ｃ）は図２（ｂ）のＩＩｃ−ＩＩｃ線における洗顔具の断面端面図である。
【図３】（ａ）は洗顔料を泡立てたときの洗顔具の斜視図であり、（ｂ）は洗顔具の洗顔時の使用状態を示す斜視図であり、（ｃ）は吊るし干しされた洗顔具の斜視図である。
【図４】（ａ）は第２実施の形態における洗顔具の底面図であり、（ｂ）は洗顔具の平面図であり、（ｃ）は図４（ｂ）のＩＶｃ−ＩＶｃ線における洗顔具の断面端面図である。
【図５】（ａ）は裏返した状態の洗顔具の底面図であり、（ｂ）は裏返した状態の洗顔具の平面図である。
【考案を実施するための形態】
【００１６】
以下、本考案の好ましい実施の形態について、添付図面を参照して説明する。まず、図１を参照して、本考案の第１実施の形態における洗顔具１の構成を説明する。図１（ａ）は本考案の第１実施の形態における洗顔具１の底面図であり、図１（ｂ）は洗顔具１の平面図であり、図１（ｃ）は図１（ｂ）のＩｃ−Ｉｃ線における洗顔具１の断面端面図である。図１に示すように洗顔具１は、洗顔部２、泡立て部３、覆い部４及び堰部５を重ね、接合部６でそれらの縁部２ａ，３ａ，４ｂ，５ａを接合して袋状に形成される。洗顔具１は、泡立て部３で作られた泡を洗顔部２の表面に絞り出し、その泡を使って洗顔部２で洗顔を行う道具である。
【００１７】
洗顔部２は、洗顔のために皮膚に接触される部位であり、通液性を有する布体で形成される。その布体は、複数枚を重ねて用いることができる。洗顔部２を形成する布体は、天然繊維、再生繊維、合成繊維の少なくとも１種の繊維から構成される織布、編布または不織布である。特に天然繊維または再生繊維が好適である。洗顔部２のメッシュサイズ（実質的に変形していない単位メッシュに外接する円の直径の長さ）は、０．５〜３ｍｍに設定される。これにより洗顔部２の通液性を確保できると共に、繊維の間を通過させてきめ細かい泡を洗顔部２に絞り出すことができる。本実施の形態では、外形が楕円状のガーゼ（木綿製）を複数枚重ねて、洗顔部２が形成される。
【００１８】
泡立て部３は、石けんや洗顔フォーム等の洗顔料を泡立てるために、ネット状の布体で形成される部位であり、洗顔部２に重ねて配置される。泡立て部３を形成する布体は、天然繊維、再生繊維、合成繊維の少なくとも１種の繊維から構成される織布、編布または不織布である。泡立ちを良くするために、弾性を有する合成繊維で形成されたネット状のメッシュサイズの大きい布体を複数枚重ねて形成するのが好適である。本実施の形態では、泡立て部３は、泡立ちを良くするために、６角形の網目が連続したラッセル編みの亀甲ネット（ナイロン等の合成樹脂製）が、外形を楕円状にされて複数枚重ねて作られる。
【００１９】
覆い部４は、泡立て部３に重ねて配置される部位であり、布体または合成樹脂製等の柔軟なシートにより形成される。本実施の形態では、覆い部４は、外形が半楕円状の木綿製の布体により形成される。図１（ｃ）に示すように、覆い部４を取り囲む縁部４ａ，４ｂの内、縁部４ｂが、接合部６によって洗顔部２及び泡立て部３に接合される。残る縁部４ａは接合部６によって接合されないので、泡立て部３との間に形成される開口部の一部とされ、覆い部４及び泡立て部３は袋状にされる。
【００２０】
これにより、泡立て部３で作られた泡を、袋状の泡立て部３と覆い部４との間に溜めることができる。なお、洗顔部２、泡立て部３及び覆い部４は、縁部４ａと泡立て部３との間に手の指を入れることができる程度の大きさに作られている。その結果、覆い部４と泡立て部３との間に手の指を入れた状態で、指の腹でマッサージをするように洗顔できる。
【００２１】
堰部５は、泡立て部３の一部に重ねて配置される部位であり、布体または合成樹脂製等の柔軟なシートにより形成される。本実施の形態では、堰部５は、覆い部４を形成する布体と同材質の外形が半円状の布体により形成される。堰部５は、覆い部５を取り囲む縁部５ａ，５ｂの内、縁部５ａが、覆い部４の縁部４ｂが接合される接合部６の一部を除いた領域に、少なくとも接合される。堰部５を設けることで、泡立て部３と覆い部４との間に溜められた泡を、覆い部４の縁部４ａと泡立て部３との間から漏れ難くできる。その結果、泡が漏れて、泡立て部３と洗顔部２とを通過して洗顔部２の表面に現れる泡の量が少なくなることを防止できる。よって、洗顔部２の泡の量が減って洗顔部２で肌が摩擦され易くなることを防止できる。
【００２２】
また、堰部５は、縁部５ｂが、泡立て部３と覆い部４との間に配置される。そのように配置されることで、堰部５が、覆い部４と泡立て部３との間に手の指を入れるときの妨げになることを防止できる。さらに、覆い部４の縁部４ａ側と堰部５の縁部５ｂ側とが重なり合わせられるので、泡立て部３と覆い部４との間の泡を覆い部４の外へ漏れ出にくくできる。なお、泡立て部３と覆い部４との間に配置される縁部５ａの一部は、接合部６によって洗顔部２及び泡立て部３に接合される。その結果、泡立て部３が覆い部４及び堰部５に囲まれるので、縁部５ａの一部と泡立て部３との間から泡が漏れ出ることを抑制できる。
【００２３】
接合部６は、洗顔部２、泡立て部３、覆い部４及び堰部５が重ね合されて接合される部位であり、洗顔部２の縁部２ａ（全周）、泡立て部３の縁部３ａ（全周）、覆い部４の縁部４ｂ及び堰部５の縁部５ａに形成される。なお、縁部２ａ，３ａ，４ｂ，５ａとは、縁辺から内側へ５ｍｍ程度までの領域をいう。縁部２ａ，３ａ，４ｂ，５ａを５ｍｍ程度の幅をもった領域とするのは、接合代を確保するためである。本実施の形態では、それら縁部をオーバーロッキング（縫合）することにより接合部６が形成される。なお、縫合によって接合部６を形成するもの以外に、接着や融着等によって接合部６を形成することは当然可能である。
【００２４】
留め部７は、洗顔具１の使用後、洗顔具１を洗浄して吊るし干しするときに用いられる部位であり、本実施の形態では、紐で環状に形成され接合部６に縫着される。また、留め部７は、堰部５の縁部５ａと一緒に接合部６に接合されている。そのため、泡立て部３と覆い部４との間に手の指を入れたときに、指先に留め部７が当たって違和感が生じることを防止できる。
【００２５】
次に図２を参照して、洗顔具１の製造方法について説明する。図２（ａ）は裏返した状態の洗顔具１の底面図であり、図２（ｂ）は裏返した状態の洗顔具１の平面図であり、図２（ｃ）は図２（ｂ）のＩＩｃ−ＩＩｃ線における洗顔具１の断面端面図である。
【００２６】
洗顔具１を製造するには、まず、洗顔部２を形成するために、通液性を有する布体を楕円状に複数枚裁断し、同様に、泡立て部３を形成するために、ネット状の布体を楕円状に複数枚裁断する。また、覆い部４を形成するために布体を半楕円状に裁断し、堰部５を形成するために布体を半円状に裁断する。
【００２７】
次いで、図２（ｃ）に示すように、泡立て部３、洗顔部２、覆い部４、堰部５を裏向きの状態でこの順に重ね、覆い部４の縁部４ａ側と堰部５の縁部５ｂ側とを重ね合わせる。次に、泡立て部３の縁部３ａの全周、洗顔部２の縁部２ａの全周、覆い部４の縁部４ｂ、堰部５の縁部５ａを縫合して接合部６を形成する。堰部５の縁部５ａ側の接合部６を形成するときに、縁部５ａに留め部７を縫合する。
【００２８】
次に、洗顔部２に重なる堰部５及び覆い部４が泡立て部３に重なるように、堰部５及び覆い部４を裏返しにして（表を向けて）、堰部５、覆い部４の順に堰部５及び覆い部４を泡立て部３に重ねる。これにより図１に示す洗顔具１を得ることができる。
【００２９】
洗顔具１によれば、接合部６は、洗顔部２、泡立て部３及び覆い部４の裁ち目が、泡立て部３と覆い部４との間に挟まれるように設けられるので、裁ち目が表面に露出することを防ぎ、美観を良くできる。また、接合部６が泡立て部３と覆い部４との間に設けられるので、洗顔部２を皮膚に当てて洗顔するときに、洗顔部２より硬い接合部６が皮膚に当たって皮膚の刺激になることを防止できる。
【００３０】
次に図３を参照して洗顔具１の使用方法について説明する。図３（ａ）は洗顔料を泡立てたときの洗顔具１の斜視図であり、図３（ｂ）は洗顔具１の洗顔時の使用状態を示す斜視図であり、図３（ｃ）は吊るし干しされた洗顔具１の斜視図である。
【００３１】
図３（ａ）に示すように洗顔具１は、まず、覆い部４の縁部４ａと堰部５の縁部５ｂとの間（開口部）から、泡立て部３（図１（ｃ）参照）に石けん等の洗顔料を入れ、泡立て部３を擦り合せるようにして泡立て、覆い部４及び堰部５に周囲を囲まれた泡立て部３に多量の泡Ｂを形成する。泡立て部３と洗顔部２とが複数重ねられているので、きめの細かい泡Ｂを立てることができる。
【００３２】
次いで、図３（ｂ）に示すように、覆い部４の縁部４ａと堰部５の縁部５ｂとの間（開口部）から覆い部４と泡立て部３との間に手の指を入れ、泡立て部３及び洗顔部２を揉むようにして、泡Ｂを、泡立て部３及び洗顔部２を通過させて洗顔部２の表面に絞り出す。この泡Ｂを皮膚と洗顔部２との間で転がすようにして洗顔する。
【００３３】
洗顔具１によれば、泡立て部３で作られた泡Ｂを泡立て部３と覆い部４との間に溜めることができると共に、泡Ｂを、泡立て部３と洗顔部２とを通過させて、指の腹側に位置する洗顔部２の表面に絞り出すことができる。従来（特許文献１参照）のように裏面部（指の背側）から表面部（指の腹側）へ泡を移し替える必要がないので、洗顔を簡単に行うことができる。
【００３４】
なお、洗顔部２のメッシュサイズにもよるが、洗顔部２に泡Ｂを通過させることで泡Ｂをきめ細かくできるので、洗顔時に皮膚に加わる摩擦力を泡Ｂによって緩衝できる。また、泡Ｂが泡立て部３と覆い部４との間に溜められるので、泡Ｂが消失したり乾燥したりすることを抑制できる。さらに堰部５があるので、泡立て部３と覆い部４との間に泡Ｂを堰き止めておくことができ、洗顔具１からの泡Ｂの漏洩を抑制できる。
【００３５】
使用後は洗顔具１を洗浄した後、図３（ｃ）に示すように、覆い部４及び堰部５を裏返した状態にして接合部６を露呈させ、フックＦに留め部７を掛けて吊るし干しができる。接合部６は、洗顔部２、泡立て部３、覆い部４及び堰部５を重ねて接合されているため乾きにくいが、留め部７が接合部６に設けられているので、裏返し状態にして接合部６を露呈させることで、接合部６を乾燥させ易くできる。よって、洗顔具１を清潔に保つことができる。また、泡立て部３は、立体網目構造を有するスポンジではなくネット状の布体により形成されるので、通気性を良くすることができ乾燥させ易くできる。さらに、覆い部４及び堰部５を裏返すことで泡立て部３を視認可能にできるので、衛生的である。
【００３６】
次に図４及び図５を参照して第２実施の形態について説明する。第１実施の形態では、泡立て部３の縁部３ａの全周が接合部６に接合される場合について説明した。これに対し第２実施の形態では、泡立て部１２の泡立ち性を向上させるため、縁部の一部が接合部６に接合される第２布体１５を有する洗顔具１１について説明する。なお、第２実施の形態において、第１実施の形態と同一の部分については、同一の符号を付して以下の説明を省略する。図４（ａ）は第２実施の形態における洗顔具１１の底面図であり、図４（ｂ）は洗顔具１１の平面図であり、図４（ｃ）は図４（ｂ）のＩＶｃ−ＩＶｃ線における洗顔具１１の断面端面図であり、図５（ａ）は裏返した状態の洗顔具１１の底面図であり、図５（ｂ）は裏返した状態の洗顔具１１の平面図である。
【００３７】
図４に示すように洗顔具１１は、洗顔部２、泡立て部１２、覆い部４及び堰部５を重ね、接合部６でそれらを接合して袋状に形成される。泡立て部１２は、ネット状の布体で形成されると共に、第１布体１３，１４と、第１布体１３，１４間に配置される第２布体１５とを備えている。
【００３８】
図４（ｃ）に示すように、第２布体１５は、複数箇所で折り曲げられて弛ませた状態で第１布体１３，１４間に配置される。また、洗顔具１１は、覆い部４の裏面側に、第１布体１４と対面する補助泡立て部１６が配置される。補助泡立て部１６は、泡立て部１２と同材質のネット状の布体で形成されており、縁部が覆い部４の裏面及び接合部６に縫合（接合）される。
【００３９】
なお、洗顔具１１は、泡立て部１２の内、覆い部４に対面する第１布体１４（対面布体）の材質を、泡立て部１２を構成する他の布体（第１布体１３、第２布体１５）の材質と異ならせることにより、第１布体１４は、第１布体１３及び第２布体１５と比較して、引張強度および伸縮性が大きく設定される。
【００４０】
図５（ａ）に示すように、第１布体１３，１４は、縁部１３ａ，１４ａの全周が接合部６に接合される。第２布体１５は、対向する２辺１５ａが折り畳まれた状態で接合部６に接合され、その２辺１５ａに隣接する辺１５ｂが、接合部６に接合されずに配置される。また、洗顔具１１は、接合部６に留め部１７が形成される。本実施の形態では、留め部１７は、堰部５側の接合部６を厚さ方向に貫通する孔状に形成される。
【００４１】
洗顔具１１によれば、第２布体１５は接合部６に接合されない辺１５ｂを有するので、第１布体１３，１４と第２布体１５とを擦り合せて洗顔料を泡立てるときに、第１布体１３，１４と比較して第２布体１５を運動（移動）させ易くできる。その結果、第２布体１５によって泡立て部１２の泡立ち性を向上できる。
【００４２】
特に、第２布体１５は、複数箇所で折り曲げられて弛ませた状態で配置されるので、第１布体１３，１４と擦り合せるときに、第１布体１３，１４との接触面積を増やすことができる。その結果、洗顔料の泡立ち性をさらに向上させることができる。
【００４３】
なお、接合部６に接合されない辺１５ｂを有する第２布体１５は、全周が接合部６に接合された第１布体１３，１４間に配置されるので、泡立て部１２（第１布体１４）と覆い部４との間に手の指を入れたときに、指先が第２布体１５に引っ掛かってしまうことを防止できる。その結果、対向する２辺１５ａが接合部６に接合されるだけの第２布体１５が破れたり、指先に第２布体１５が引っ掛かって違和感が生じたりすることを防止できる。
【００４４】
また、第２布体１５の折り畳まれた２辺１５ａに隣接する辺１５ｂが接合部６に接合されると、第２布体１５の折り線とは無関係に使用中に第２布体１５が広がって、第１布体１３，１４間に偏った状態で弛んでしまうが、折り畳まれた２辺１５ａが接合部６に接合されるので、接合部６では２辺１５ａが折り畳まれた状態を維持できる。その結果、使用中に第２布体１５が広がって、第１布体１３，１４間に偏った状態で弛んでしまうことを防止できる。
【００４５】
ここで、泡立て部１２を擦り合せて洗顔料を泡立てるときには、覆い部４に対面する第１布体１４（対面布体）に最も大きい力が加わるので、第１布体１４が破損し易い。洗顔具１１は、第１布体１４（対面布体）が、泡立て部１２を構成する他の布体（第１布体１３、第２布体１５）と比較して引張強度および伸縮性が大きく設定されるので、第１布体１４を破損し難くできる。その結果、泡立て部１２の耐久性を向上できる。
【００４６】
また、覆い部４の裏面に補助泡立て部１６が配置されているので、洗顔料を泡立てるときに、泡立て部１２（第１泡立て部１４）と補助泡立て部１６とを擦り合せることができる。その結果、泡立て部１２による泡立ち性をさらに向上させることができる。
【００４７】
また、接合部６に留め部１７が形成されるので、第１実施の形態と同様に、使用後は洗顔具１１を洗浄した後、覆い部４及び堰部５を裏返した状態にして接合部６を露呈させ、留め部１７を使って吊るし干しができる。
【００４８】
以上、実施の形態に基づき本考案を説明したが、本考案は上記実施の形態に何ら限定されるものではなく、本考案の趣旨を逸脱しない範囲内で種々の改良変形が可能であることは容易に推察できるものである。例えば、洗顔具１，１１（洗顔部２及び泡立て部３，１２）の形状は楕円形に限られるものではなく、円形、矩形、方形、三角形等、デザイン性等を考慮して適宜設定できる。それに伴い、覆い部４や堰部５の形状も適宜設定される。また、洗顔部２や泡立て部３，１２を形成する布体の枚数は一例であり、布体の枚数は１乃至複数枚に適宜設定される。それら布体の材質や大きさも適宜設定することが可能である。
【００４９】
上記第１実施の形態では、留め部７が紐で環状に形成される場合について説明したが、必ずしも環状にする必要はなく、接合部６から一部が突出するように留め部７を突状に形成することは当然可能である。留め部７を突状に形成することにより、留め部７を洗濯バサミ等で摘まんで吊るし干しができるからである。なお、別部材を用いて留め部７を設ける必要はなく、接合部６の一部を利用して（接合部６の一部を突き出すことによって）留め部７にすることは当然可能である。また、覆い部４や堰部５に留め部７を設けることは当然可能である。
【００５０】
上記第２実施の形態では、複数箇所で折り畳んだ第２布体１５を設ける場合について説明したが、必ずしも第２布体１５を折り畳む必要はない。第２布体１５の２辺１５ｂが接合部６に接合されずに配置されることで、泡立て部１２を擦り合せて洗顔料を泡立てるときに、２辺１５ｂを比較的自由に運動（移動）させることができ、泡立ち性を向上できるからである。
【００５１】
上記各実施の形態では、覆い部４の縁部４ｂの全部が接合部６に接合される場合について説明したが、必ずしもこれに限られるものではない。覆い部４の縁部４ｂの一部が接合部６に接合されないようにして、接合されない部分を孔にすることは当然可能である。孔が開いていても、指の背側を覆い部４に掛け、指の腹を泡立て部３に当てて洗顔部２で洗顔できるからである。特に、その孔を指が嵌まる程度の大きさにするのが好適である。洗顔するときに、その孔から指を出して（その孔に指を嵌めて）洗顔具１を保持し易くできるからである。その場合、指で孔が塞がれるので、その孔から泡が漏洩することを抑制し、洗顔部２へ泡を移行させることができる。
【符号の説明】
【００５２】
１，１１  洗顔具
２        洗顔部
２ａ      縁部
３，１２  泡立て部
３ａ      縁部
４        覆い部
４ａ      縁部（開口部の一部）
４ｂ      縁部
５        堰部
５ａ      縁部
５ｂ      縁部（開口部の一部）
６        接合部
７，１７  留め部
１３      第１布体
１４      第１布体（対面布体）
１５      第２布体
【図１】
0003191822.tif 000003
【図２】
0003191822.tif 000004
【図３】
0003191822.tif 000005
【図４】
0003191822.tif 000006
【図５】
0003191822.tif 000007